【事件の表示】
　平成９年特許願第１４４５２０号「卵容器」拒絶査定に対する審判事件（平成１０年１２月２日出願公開、特開平１０−３１６１８８）について、次のとおり審決する。
【結　論】
　本件審判の請求は、成り立たない。
【理　由】
Ｉ．本願発明
　
　本願は、平成９年５月２０日の出願であって、その請求項１に係る発明は、平成１１年２月２２日付け手続補正書により補正された明細書の特許請求の範囲の請求項１に記載された次のとおりのものである。なお、平成１１年５月２６日付けの手続補正は、本審決に先立って却下された。
　「鶏卵を入れる複数の凹部を形成した身部分、蓋部分、これら２つの部分を連結する屈曲自在な連結部分とを備えた卵容器であって、上記連結部分に破断用の糸状体を添設し、身部分および蓋部分の重ね合わせた周縁部を２つ折りにした粘着性テープで封緘したことを特徴とする卵容器。」
　
ＩＩ．引用文献
　
１．これに対して、本願の出願前に国内において頒布され、原査定の拒絶理由において引用された刊行物である引用文献１〔実願平２−５５６４７（実開平４−１６１５２号公報）のマイクロフィルム〕には、次のａ〜ｆの各事項が図面（第１〜７図）とともに記載されている。
　ａ．プラスチック材から一体成形した容器本体（Ａ）と蓋体（Ｂ）に、相互の合掌する長方形な輪郭の開口フランジ（11）（12）を張り出し、その一方の長辺部を開閉ヒンジ（13）として、容器本体（Ａ）と蓋体（Ｂ）とを半折り状態に枢支連続させ、その開閉ヒンジ（13）と向かい合う他方の長辺部を、ヒートシール部（14）の付与などによって閉蓋状態に封止すると共に、上記容器本体（Ａ）と蓋体（Ｂ）に、相反方向へ立ち上がる卵収納凹所（15）（16）を、その点在分布する複数個が上記長辺部に沿い２列に並ぶ配置状態として区画形成した卵容器において、その２列に並ぶ卵収納凹所（15）（16）の境界長手中心線上に延在する把手（Ｃ）の両端部（21）を、上記容器本体（Ａ）に固着一体化し、その把手（Ｃ）の中間導出用スリット（24）を、蓋体（Ｂ）の対応する長手中心線上に切り欠いて、そのスリット（24）から導出させた把手（Ｃ）により、上記容器本体（Ａ）を施蓋状態のまま携帯できるように定めると共に、その蓋体（Ｂ）を上記長辺部の双方に付与した開封用のミシン目（19）（20）又は糸条により、容器本体（Ａ）から分離除去できるように定めたことを特徴とするプラスチック製の卵容器。（実用新案登録請求の範囲）
　ｂ．＜従来の技術＞　一般に、この種卵容器は消耗品として、比較的薄肉な所謂腰のある透明プラスチック材から真空成形されており、その構成上半折り状態にある容器本体と蓋体が、互いに合掌する長方形な輪郭の開口フランジと、その点在分布する複数個（通例合計１０個）の卵収納凹所とを備えていると共に、その開口フランジにおける一方の長辺部が開閉ヒンジをなし、残る他方の長辺部がヒートシール（熱溶着）やホッチキス針などの手段によって、封止されているにとどまる。（２頁１４行〜３頁４行）
　ｃ．＜考案が解決しようとする課題＞　（中略）又、上記ヒートシールされた形態品では、その開封操作を指先のみによって、所謂ワンタッチ式の軽快に行ない難く、お操作時不慮に卵を破損するおそれがあり、更にホッチキス針の封止手段では、その開封操作時に針が飛散したり、指先を負傷する危険性もある。（３頁５〜１３行）
　ｄ．＜作用＞（中略）又、一般家庭において、その開封用ミシン目（19）（20）や糸条に基き剥ぎ取り、蓋体（Ｂ）を容器本体（Ａ）から完全に分離除去することができるので、卵（Ｍ）を極めて円滑に危険なく取り出せるのであり、又、その卵（Ｍ）を１個づつ取り出すことなく、容器本体（Ａ）のみを把手（Ｃ）によって握り持ち、そのまま容器本体（Ａ）ごと卵（Ｍ）を冷蔵庫の卵ラックへ、すばやく簡便に移し入れることも可能である。（５頁７行〜６頁２行）
  ｅ．＜実施例＞　以下、図示の実施例に基いて本考案の具体的構成を詳述すると、その卵容器の閉蓋状態と開閉状態を表わした第１〜７図に於いて、（Ａ）は容器本体、（Ｂ）は蓋体であり、比較的に薄肉・硬質な透明プラスチック材から、真空形成法などの手段によって、相互の連続一体に成形されている。容器本体（Ａ）と蓋体（Ｂ）は、その閉蓋時に合掌する長方形な輪郭の帯状張り出し開口フランジ（11）（12）を備えており、その一方の長辺部が開閉ヒンジ（13）として、半折り状態に枢支連続されていると共に、これと向かい合う他方の長辺部がヒートシール（熱溶着）やホッチキス針、その他の手段により、重合閉蓋状態に封止されている。（６頁３〜１６行）
　ｆ．（19）（20）は容器本体（Ａ）と蓋体（Ｂ）の開閉ヒンジ（13）として働く一方の長辺部と、同じくヒートシール部（14）などにより封止された他方の長辺部との双方において、その長手方向に沿い延在する如く封入された開封用のミシン目であり、これを指先で剥ぎ取り除去することによって、蓋体（Ｂ）を容器本体（Ａ）から完全に分離除去できるようになっている。その分離除去できる限りでは、ミシン目（19）（20）に代る剥ぎ取り用の糸条（図示省略）を、上記長辺部の双方に予じめ添え付け貼着しても良い。（８頁２〜１２行）
　
２．同じく引用文献２（特開平８−３１８９３０公報）には、次のｇ、ｈの各事項が記載されている。
　ｇ．従来、容器本体と蓋体とが合成樹脂シート材で成形されている卵容器にあっては、卵を収納した後、容器を封緘するのに、容器本体と蓋体との接合縁をホッチキスで止めているのが一般的であるが、この封緘手段には、開封時にホッチキスを取り外さなければならず開封作業が面倒で美観も損なうといった問題点があること。
　ｈ．この問題点を解決するため、卵容器の容器本体と蓋体との接合縁を接着テープ材によって外側から断面Ｕの字状に包み込んで封緘すること。
　
３．引用文献１の前記ａ、ｅ及びｆの記載を総合すると、引用文献１には、次の発明（以下「引用発明」という。）が記載されていると認めることができる。
　「複数の卵収納凹所を形成した容器本体、複数の卵収納凹所を形成した蓋体及び両者を連結するところの、両者に設けた相互の合掌する長方形の輪郭の帯状張り出し開口フランジの一方の長辺部からなる半折り状態に枢支連続する開閉ヒンジを備えた卵容器であって、前記一方の長辺部からなる開閉ヒンジと前記開閉ヒンジと向かい合う前記帯状張り出し開口フランジの他方の長辺部との双方に、蓋体を容器本体から完全に分離除去するための開封用のミシン目に代わる剥ぎ取り用の糸条を貼着し、前記開閉ヒンジと向かい合う前記帯状張り出し開口フランジの他方の長辺部をホッチキス針で封緘した卵容器。」
　
ＩＩＩ．本願発明と引用発明との対比及び判断
　
１．本願発明と引用発明とを対比すると、引用発明の「複数の卵収納凹所を形成した容器本体」、「複数の卵収納凹所を形成した蓋体」、「両者を連結するところの、両者に設けた相互の合掌する長方形の輪郭の帯状張り出し開口フランジの一方の長辺部からなる半折り状態に枢支連続する開閉ヒンジ」、「蓋体を容器本体から完全に分離除去するための開封用のミシン目に代わる剥ぎ取り用の糸条」、「前記開閉ヒンジと向かい合う前記帯状張り出し開口フランジの他方の長辺部」はそれぞれ順に、本願発明の「鶏卵を入れる複数の凹部を形成した身部分」、「蓋部分」、「これら２つの部分を連結する屈曲自在な連結部分」、「破断用の糸状体」、「身部分および蓋部分の重ね合わせた周縁部」相当するから、結局、両発明は、「鶏卵を入れる複数の凹部を形成した身部分、蓋部分、これら２つの部分を連結する屈曲自在な連結部分とを備えた卵容器。」である点で一致し、次の点でのみ相違すると認められる。
　「卵容器について、本願発明では、連結部分に破断用の糸状体を添設し、身部分および蓋部分の重ね合わせた周縁部を２つ折りにした粘着性テープで封緘したと規定するのに対し、引用発明では、連結部分と身部分および蓋部分の重ね合わせた周縁部とに破断用の糸状体を添設し、身部分および蓋部分の重ね合わせた周縁部をホッチキス針で封緘したとしている点。」
　
２．この相違点について検討する。
　引用文献１の前記ｂ、ｃ及びｆの記載から理解されるように、引用発明は、従来の卵容器では、容器本体（つまり身部分）と蓋体（つまり蓋部分）とが合掌する開口フランジにおける開閉ヒンジとなる長辺部と向かい合う他方の長辺部がヒートシール（熱溶着）やホッチキス針などの手段によって封止されていると、開封操作をワンタッチ式に行い難く、また、開封操作時に針が飛散したり、指先を負傷する危険性があることから、これを解決するために、剥ぎ取り用の糸条（つまり破断用の糸状体）を前記他方の長辺部に設けるものであり、一方、引用文献２の前記ｇ〜ｈの記載によれば、卵容器の容器本体と蓋体との接合縁を封緘するに当たり、開封時にホッチキス針を取り外さなければならないという面倒な開封作業を要する従来のホッチキス針による封緘に代えて、接合縁を接着テープ材によって外側から断面Ｕの字状に包み込んで封緘すること、つまり卵容器の身部分と蓋部分の重ね合わせた周縁部をホッチキス針による封緘に代えて２つ折りにした粘着性テープで封緘することにより、開封作業が容易になることが知られるから、引用発明においても、開封作業の容易性等を一層考慮して、身部分および蓋部分の重ね合わせた周縁部をホッチキス針による封緘に代えて２つ折りにした粘着性テープで封緘することは、引用文献１〜２の記載に基づいて当業者が容易に想到しうることである。
　そして、このような封緘手段を採用した場合には、粘着性テープを前記周縁部から剥離するだけで容易に開封できるものとなることから、破断用の糸状体を前記周縁部に添設する必要は格別ないものとなることが明らかであるから、身部分および蓋部分の重ね合わせた周縁部に破断用の糸状体を添設しないでおくことも、当業者が当然に想到しうることである。なお、本願発明では、連結部分に破断用の糸状体を添設すると規定するだけで、身部分および蓋部分の重ね合わせた周縁部には破断用の糸状体を添設しないとは規定していない。
　したがって、相違点をなす「連結部分に破断用の糸状体を添設し、身部分および蓋部分の重ね合わせた周縁部を２つ折りにした粘着性テープで封緘した」との事項は、引用文献１〜２の記載に基づいて当業者が容易に想到しえたものであり、しかも、本願発明が当該事項を採用した点にも格別の意義がない（明細書の発明の詳細な説明の段落【００１２】において本願発明の効果としてうたう「この発明の卵容器によると、身部分と蓋部分とを分離できるので、卵容器より１つづつ移すことなく、卵容器の身部分または蓋部分に卵を入れた状態で冷蔵庫の卵棚に載置することができる」点は、引用文献１の前記ｄにいう引用発明の奏する作用効果と同様である。）から、結局、本願発明は、引用文献１〜２に記載された発明に基づいて当業者が容易に発明をすることができたものであるというほかはない。
　
ＩＶ．むすび
　
　以上のとおり、本願の請求項１に係る発明は、本願の出願前に国内において頒布された刊行物に記載された発明に基づいて、本願の出願前に当業者が容易に発明をすることができたものであると認められるから、特許法第２９条第２項の規定により特許を受けることができない。
　よって結論のとおり審決する。